(57)【特許請求の範囲】
【請求項１】
先端部が上下動及び左右両方向への回転を可能に支承された操作軸と、該操作軸を上方に押し上げるスプリングと、前記操作軸と直交して操作軸を左右両方向に回転させる回転ペダルと、座部を昇降させるシリンダを駆動して操作軸の左右両方向への回転でそれぞれが動作するラム昇降用の左右各１個のスイッチと、前記シリンダのラムの周囲を囲むように取付けられると共にネジ部分に雄ネジが螺合されたブレーキシューと、該ブレーキシューの前記ネジと前記操作軸とを連結して操作軸の後端が押下された際に前記ネジを回転してブレーキシューによるラムの締めつけを解除する連結手段とを備え、前記回転ペダルの押下時以外は前記スプリングのバネ力によって前記操作軸を上方に押し上げて自動的にラムを締め付けるようにしたことを特徴とする昇降椅子のロック装置。
【発明の詳細な説明】
【０００１】
【発明の属する技術分野】
本発明は、シリンダで座部を昇降し、座部の昇降が終わった後はシリンダのラムの回動をブレーキシューでロックして座部の昇降を停止する椅子において、座部の昇降時にはラムのロックを解除、昇降が終わればラムのロックが自動的に行えるようにした昇降椅子のロック装置に関する。
【０００２】
【従来の技術】
従来、シリンダによって昇降する椅子においては、昇降動作を行うラム自体を回転させることで、座部を左右に回転できるようにしており、カット作業などを行うために座部を昇降させる時以外はブレーキシューでラムの回動をロックしなければならない。
【０００３】
そのために、座部を昇降させる際には、ブレーキシューによるラムのロックを解除させる操作を行った後に、ラムの昇降手段を操作して座部の昇降を行い、座部の昇降の終了後はラムのロックを行う操作を行っていた。
【０００４】
【発明が解決しようとする課題】
こような機構の昇降椅子においては、座部の昇降に伴うラムの昇降動作を行う場合には、ブレーキシューでラムが締めつけられて昇降できないために、ブレーキシューを緩める、例えば、ペダルを押下する等の操作を必要としていた。
【０００５】
そして、昇降が終わった際には押下したペダルを引き上げて、ブレーキシューでラムを締めつけて回転を阻止し、座部がカット作業中に回転するのを阻止していた。
【０００６】
このように従来の昇降椅子においては、ラムのロックを解除するために押し下げたペダルを、ロックをするために押し上げる必要があり、そのために靴の上面を使うこととなるので、靴の上面を傷つけてしまう等の問題点があった。
【０００７】
本発明は前記した問題点を解決せんとするもので、その目的とするところは、ロックをするためペダルを押し上げる動作をなくしてラムを昇降させるスイッチと、ブレーキシューによるラムのロックとを１つの動作で可能とし、しかも、ラムの昇降を行うスイッチを動作させずにラムのロックのみを解除することも可能として、操作の単純化と迅速化を図った昇降椅子のロック装置をせんとするにある。
【０００８】
本発明の昇降椅子のロック装置は前記した目的を達成せんとするもので、その手段は、先端部が上下動及び左右両方向への回転を可能に支承された操作軸と、該操作軸を上方に押し上げるスプリングと、前記操作軸と直交して操作軸を左右両方向に回転させる回転ペダルと、座部を昇降させるシリンダを駆動して操作軸の左右両方向への回転でそれぞれが動作するラム昇降用の左右各１個のスイッチと、前記シリンダのラムの周囲を囲むように取付けられると共にネジ部分に雄ネジが螺合されたブレーキシューと、該ブレーキシューの前記ネジと前記操作軸とを連結して操作軸の後端が押下された際に前記ネジを回転してブレーキシューによるラムの締めつけを解除する連結手段とを備え、前記回転ペダルの押下時以外は前記スプリングのバネ力によって前記操作軸を上方に押し上げて自動的にラムを締め付けるようにしたものである。
【００１０】
【発明の実施の形態】
次に、本発明に係る昇降椅子のロック装置の実施の形態を図面と共に説明する。
【００１１】
１は椅子基台にして、上面に固定された軸支台１ａには軸１ｂによって上下回動体２が回動自在に軸支されている。
【００１２】
この上下回動体２には、軸支台１ａで軸支されている場所の左右中心に前方に向けて突出する回転支軸２ａが固定されており、この回転支軸２ａに対して回転は可能であるが、軸心方向には固定されている操作軸体３が嵌合されている。この操作軸体３には後述する油圧シリンダ６のラム６ａを昇降させるための下降スイッチ９ａ、上昇スイッチ９ｂを操作するためのＴ状の腕部３ａ、３ｂが形成されている。
【００１３】
前記操作軸体３には操作軸４が椅子基台１の後方に露出するように挿着されると共に、操作軸４の後端には左右両方向に突出する状態で回転ペダル４ａが固定され、操作軸体３と椅子基台１との間に操作軸４の後端を上方に押し上げるスプリング５が架設されている。
【００１４】
また、椅子基台１には油圧シリンダ６が起立した状態で固定され、該シリンダ６のラム６ａの上端には座部基台７が取付けられている。このラム６ａはシリンダ６に取付けられた油圧回路８により前記下降スイッチ９ａを押下した場合には下降し、また、上昇スイッチ９ｂを押下した場合には上昇するように構成されている。
【００１５】
前記ラム６ａの上端近くには、該ラム６ａの直径と略同内径のブレーキシュー１０がラム６ａを囲むように取付けられており、ブレーキシュー１０には貫通孔１０ａが形成されている。この貫通孔１０ａには先端が雄ネジ１１ａとなっているネジ１１が挿通され、該ネジ１１の雄ネジ１１ａは前記ブレーキシュー１０のナット１２に螺合され、前記ネジ１１を回動することでブレーキシュー１０の内径が拡開または縮小されるようになっている。
【００１６】
前記ネジ１１にはアーム１３の一端が止着され、該アーム１３の他端は連結杆１４の上端に回転自在に軸支されている。そして、連結杆１４の下端は前記操作軸体３から後方に延びているアーム３ｃに連結されている。
【００１７】
この実施の形態の昇降椅子のロック装置は、図１に示す回転ペダル４ａが操作されず押下されていない状態においては、操作軸体３がスプリング５で押し上げられているために操作軸体３のアーム３ｃで押し上げられ、この動きがアーム１３でネジ１１に伝達されてネジ１１が回転するので、ナット１２との締めつけが行われてブレーキシュー１０がラム６ａを締めつけ、該ラム６ａの回転を阻止している。
【００１８】
そして、椅子を上昇させるために、図３において回転ペダル４ａの右側を足で押し下げると、操作軸４、操作軸体３が回転支軸２ａを中心として時計方向に回動し、この動きが操作軸体３のアーム３ｃによって連結杆１４を押し上げ、アーム１３が図１においてネジ１１を反時計方向に回動させる。
【００１９】
このネジ１１の回動がブレーキシュー１０によるラム６ａの締めつけを緩めてラム６ａの昇降と回転の阻止を解除することになる。また、回転支軸２ａの回動によって上昇スイッチ９ｂが押されるので油圧回路８が動作してシリンダ６内に油を供給し、従って、ラム６ａを上昇させる。そして、その上昇が所定の位置に到達して回転ペダル４ａから足を離せばスプリング５のバネ力によって操作軸４が押し上げられ、これに伴ってペダル４ａは中立位置に戻るり、ラム６ａの回動が阻止されると共に上昇スイッチ９ｂが切れてラム６ａの上昇は停止される。
【００２０】
また、回転ペダル４ａの左側を踏んだ場合には、前記と同様に操作軸４の後端側の下降でラム６ａのロックは解除されると同時に、操作軸４が前記と反対に動作して下降スイッチ９ａが閉じ、ラム６ａの下降が行われ、ペダル４ａから足あ離せば前記したと同様にペダル４ａは中立位置に戻り、ラム６ａのロックが行われる。
【００２１】
このようにして、１つの回転ペダル４ａの右側を踏むか、左側を踏むかによってブレーキシュー１０がラム６ａのロックの解除を行って座部の回転がフリーな状態となり、かつ、ラム６ａが上昇または下降し、座部が任意の高さまで昇降した際に回転ペダル６ａから足を離せば、ラム６ａの昇降が止まると共に、ラム６ａのブレーキシュー１０によるロックが行われる。
【００２２】
さらに、回転ペダル４ａの中心、すなわち、操作軸４との接合部を押し下げた場合には、操作軸４が回動するとはないので腕部３ａ、３ｂが上昇スイッチ９ａ、下降スイッチ９ｂを押すことがなく、操作軸４の先端側の下降傾きによる前述のラム６ａのロックのみが解除される。
【００２３】
従って、カット作業などの途中で座部の向きを変える必要が生じた場合には、前記のように回転ペダル４ａの中心を踏むことで、ラム６ａのロックを外して自由に座部の向きを変えることが可能となり、回転ペダル４ａから足を離せばラム６ａの回転がロックされて、座部の向きが変わる恐れをなくすことができる。
【００２４】
【発明の効果】
本発明は前記したように、回転ペダルを踏む前と、回転ペダルを踏んでラムの昇降を行った後では、ラムの回転をロックするための操作を行わなくてもラムの回転は自動的にロックされ、妄りに座部に腰掛けている客の向きが変わることはない。
【００２５】
そして、回転ペダルを踏んでラムの昇降で座部を昇降させる場合には、ラムの昇降と回転のロックを解除するための操作を行わなくても、自動的にラムの昇降と回転はロックが解除されてラムの昇降と回転が可能となる。
【００２６】
従って、座部を昇降させる場合にラムの回転ロック装置を特別に操作する必要がなくなり、操作が単純化されて操作ミスなどが自然に防止され、操作しやすいと共に、操作ミスなどでの故障を未然に防止できる。
【００２７】
しかも、回転ペダルの中心部、即ち操作軸との結合部を踏んだ場合には、ラムの回転ロックのみを外すことができるので、カット作業などで客の向きを変えるような場合にも回転ロックを外すことができるなどの効果を有するものである。
【図面の簡単な説明】
【図１】本発明の実施の形態をペダルが踏まれる前の状態で一部を切断して示す側面図である。
【図２】同上をペダルが踏まれた状態で一部を切断して示す側面図である。
【図３】一部を切断して示す図１の平面図である。
【符号の説明】
３          操作軸体
３ａ，３ｂ  腕部
３ｃ        アーム
４          操作軸
４ａ        回転ペダル
６          シリンダ
６ａ        ラム
９ａ        下降スイッチ
９ｂ        上昇スイッチ
１０        ブレーキシュー
１１        ネジ
１４        連結杆
【図１】
0003692010.tif 000002
【図２】
0003692010.tif 000003
【図３】
0003692010.tif 000004